(57)【要約】【解決手段】フレームがアダプタモジュール内に適合するよう結合及び絶縁し、ベイルラッチ機械装置を使用して、アダプタモジュールを提供する。ベイルラッチは二つの位置の間で移動可能であり、モジュールの一部分として形成されたカム部材を結合し、対立する二つのベイルラッチの自由端がモジュール内に引込まれ、それにより、アダプタモジュールから離れる。
2005522853.tif 000002
【特許請求の範囲】
【請求項１】
プリント回路基板上に取付けられたアダプタフレームに抜差しするアダプタモジュールであって、
電子コンバータを収容する内部スペースを備え、一対の側壁及び該側壁の少なくとも一方を貫通する開口を備える導電性モジュール本体と、
該導電性モジュール本体に揺動可能に取付けられた保持部材とを有し、該保持部材が、離間した側部及び該離間した側部を接続する長い横断部材を備えるＵ字形の保持部材であり、該保持部材が前記離間した側部のそれぞれの自由端を備え、該自由端の各々が前記導電性モジュール本体の対応する前記側壁に収容され、前記自由端が前記開口に収容され、それにより、
前記保持部材が、前記自由端が電子部品用アダプタフレームとの固定係合から外れる第１の位置と、前記自由端の少なくとも一つが前記開口から突出してアダプタフレームと固定係合する第２の位置との間で移動可能なアダプタモジュール。
【請求項２】
前記保持部材と干渉係合するように位置決めされて、前記保持部材が前記第１の位置と前記第２の位置との間で動く際に、前記少なくとも一つの自由端が、アダプタフレームとの固定係合から外れる動きと固定係合する動きとを達成するカム部材を更に含む、請求項１に記載のアダプタモジュール。
【請求項３】
前記カム部材が、前記導電性モジュール本体の前記側壁の開口の近くに配置された固定面を含む、請求項２に記載のアダプタモジュール。
【請求項４】
前記固定面が、導電性モジュール本体の一部として形成された、請求項３に記載のアダプタモジュール。
【請求項５】
前記固定面が、四分球形状を有する、請求項３又は４に記載のアダプタモジュール。
【請求項６】
前記導電性モジュール本体が、前記側壁を貫通する一対の開口を含み、前記側壁に隣接した一対の通路を更に含み、側壁の開口が導電性モジュール本体の通路と連通しており、前記保持部材の離間した側部の一部が、それぞれ通路内に配置され、更に前記保持部材の自由端が前記側壁の開口によってそれぞれ収容されている、請求項１又は２に記載のアダプタモジュール。
【請求項７】
前記導電性モジュール本体の内部スペースが下面部分を含み、前記固定面が下面部分から上方に突出している、請求項３又は４に記載のアダプタモジュール。
【請求項８】
前記固定面が前記側壁に沿って延在するポストを含み、該ポストが円弧面で覆われている、請求項３又は４に記載のアダプタモジュール。
【請求項９】
前記固定面のポストが四分球形面で覆われている、請求項３又は８に記載のアダプタモジュール。
【請求項１０】
前記開口と関連付けられた前記自由端を備える保持部材の前記側部が、前記カム部材と摺動式に係合し、前記自由端を、前記保持部材の揺動に応じて前記第２の位置から前記第１の位置に内側に移動させる、請求項３に記載のアダプタモジュール。
【請求項１１】
前記保持部材は、前記第１の位置のときに、導電性本体の前記内部スペースへのアクセスを阻止する、請求項１に記載のアダプタモジュール。
【請求項１２】
前記導電性本体は、前記側壁の各々に形成され前記導電性本体の長さ方向に延在する長手方向のスロットを備え、各スロットが、前記アダプタモジュールへの接続の際に電子部品用アダプタフレームの相補的部材を収容するように適応されている、請求項１に記載のアダプタモジュール。
【請求項１３】
前記スロットの少なくとも一つが、前記アダプタフレームの相補的部分が前記スロットに斜めに入ることを可能にする末広がりの傾斜した導入面を画定する傾斜壁を備えた後部を有する、請求項１２に記載のアダプタモジュール。
【請求項１４】
保持部材の前記長い横断部材が、前記アダプタモジュールの前面から突出する構成要素を収容する凹部を含む、請求項１に記載のアダプタモジュール。
【請求項１５】
支持構造を備えるアダプタモジュールであって、前記支持構造が、該支持構造内への少なくとも部分的なアクセスを可能にする一以上の通路を備え、前記アダプタモジュールが、更に、移動可能に取付けられたＵ字形の保持部材を備え、該保持部材が、該保持部材のＵ字形を画定するために、離間した端部及び離間した端部を接続する横材を備え、前記保持部材の端部の一部が通路に収容され、前記保持部材の端部が、前記通路から選択的に突出するように位置決めされた二つの自由端で終端しているアダプタモジュールと、
該アダプタモジュールを収容するレセプタクル部を画定するようにサイズと形状が決められた電子部品のアダプタフレームとを有し、
前記保持部材が、該保持部材の自由端が前記モジュール支持構造から部分的に突出してアダプタフレームレセプタクルと係合し、それにより、前記モジュール支持構造を前記フレームレセプタクル部分内の適所に固定する第１の位置と、前記自由端が前記モジュール支持構造から突出しておらず、それにより、該モジュール支持構造を前記フレームレセプタクル部分から抜出すことができる第２の位置との間で移動可能なアダプタモジュールとアダプタフレームの組合せ。
【請求項１６】
前記保持部材が前記第１の位置と第２の位置との間で動く際に、前記保持部材の自由端が前記アダプタフレームから外れる動きと係合する動きを達成するように、前記保持部材の自由端と干渉係合するように位置決めされた一対のカム部材を更に含み、前記カム部材が、前記支持構造の通路の近くに配置された前記支持構造の固定された隆起面を含み、前記自由端が、前記カム部材と摺動的に係合して、前記保持部材の動きに応じて前記自由端を前記第２の位置から前記第１の位置に内方に移動させる、請求項１５に記載のアダプタモジュール及びフレーム。
【請求項１７】
前記アダプタフレームが、前記アダプタモジュールを摺動可能に収容する前面開口を備え、保持部材の前記自由端が、保持部材が前記第１の位置にあるときにアダプタモジュールの前記側壁内に配置され、保持部材が前記第２の位置にあるときに前記保持部材の前記各自由端が外側に配置されて、アダプタモジュールの前記側壁よりも突出し、アダプタフレームの各前記開口と係合する、請求項１５に記載のアダプタモジュール及びフレーム。
【請求項１８】
前記保持部材が前記第１の位置と前記第２の位置との間で動く際に、前記保持部材と干渉係合して、それにより、アダプタモジュールの前記側壁内にある位置と、アダプタモジュールの前記側壁より外側に突出する位置との間での前記各自由端の動きを達成するように位置決めされた一対のカム部材を更に含み、各前記カム部材が、アダプタモジュールの各前記側壁を貫通する各前記開口の近くに設けられた固定した隆起面である、請求項１５に記載のアダプタモジュール及びフレーム。
【請求項１９】
保持部材の前記各側部が、前記各カム部材と摺動式に係合し、前記保持部材の揺動に応じて前記各自由端を前記第２の位置から前記第１の位置に内側に移動させる、請求項１６又は１８に記載のアダプタモジュール及びフレーム。
【請求項２０】
保持部材は、前記第１の位置のときに、導電性本体の前記内部スペースへのアクセスを阻止する、請求項１５に記載のアダプタモジュール及びフレーム。
【請求項２１】
前記導電性本体が、前記側壁のそれぞれに長手方向のスロットを備え、該スロットの各々が、前記アダプタモジュールに接続する際に、前記電子部品用アダプタフレームの相補的部材を収容する、請求項１５に記載のアダプタモジュール及びフレーム。
【発明の詳細な説明】
【技術分野】
【０００１】
本発明は、一般にアダプタモジュールに関し、より詳細には、アダプタモジュールをアダプタフレーム内の適所に保持し、あるいはアダプタフレームから外すように容易に操作可能な保持部材を備えたアダプタモジュールに関する。
【背景技術】
【０００２】
アダプタフレーム又はアダプタモジュールは、多くの様々な用途に使用されており、通常、光トランシーバやケーブル等の電気部品を基板コネクタに収容するために使用される。アダプタモジュールは、硬質（銅）導体配線間の単純な接続面から、光ファイバ、フレキシブルケーブル、すなわち、印刷ケーブル等を含むより高度な用途まで、種々様々な用途に使用されている。多くの例において、アダプタモジュールは、光信号を電気信号にあるいは電気信号を光信号に変換するために使用されるコンバータを収容している。そのようなモジュールは、信号をギガビットのレンジ等で高速に維持しながら、高速信号を銅から光にあるいは光から銅に変換するために使用される。そのようなアダプタモジュールは、通常回路基板に取付けられるアダプタフレームに入れられ、モジュールは、保持手段によってアダプタフレーム内の適所に保持される。
【発明の開示】
【発明が解決しようとする課題】
【０００３】
そのような一つの保持手段は、蝶ねじの使用である。そのような蝶ねじは、多数のケーブルがある状況では操作しにくく、なぜならば、ユーザが、ケーブルを取付けたり、除去したり、構成し直したりするときにケーブルを側方に移動させなければならないからである。したがって、そのようなアダプタモジュールは、容易に差込むことができない。
【０００４】
したがって、本発明は、アダプタフレーム又はアダプタモジュールをよりプラガブルな（差込式のように扱える）部品として使用が単純な保持手段を有する改善されたアダプタフレーム又はアダプタモジュールを対象とする。
【課題を解決するための手段】
【０００５】
したがって、本発明の一般的な目的は、アダプタフレーム内に容易に摺動（しゅうどう）し、可動ラッチを使用してフレーム内の適所に保持されるアダプタモジュールを提供することである。
【０００６】
本発明のもう一つの目的は、フレームの開口と係合する二つの自由端を有する単純なワイヤベイルラッチを利用するアダプタモジュールを提供することであり、このベイルラッチは、その自由端のまわりに二つの位置間を移動可能であり、二つの位置の一方において、ベイルラッチの自由端が、アダプタモジュールから外方に延在して、アダプタモジュールをアダプタフレーム内の適所に保持する働きをする干渉ポストを提供し、二つの位置の他方において、ベイルラッチの自由端が、アダプタモジュール内に引込まれて、したがってアダプタフレームと干渉係合せず、それによりアダプタモジュールをベゼルから容易に抜出すことができる。
【０００７】
本発明の更に他の目的は、アダプタモジュールに、二つの位置の間で移動可能な保持ベイルラッチを提供することであり、アダプタモジュールは、ガイドレール内に保持されるか又はそこから取外し可能であり、ベイルラッチは、アダプタモジュールをホストユニットに取付ける前にアダプタモジュール内のトランシーバにケーブル組立体が取付けられるのを防ぐ。
【０００８】
本発明の更にもう一つの目的は、アダプタモジュールに前述のような移動可能なベイルラッチを設けることであり、モジュールはハウジングを有し、該ハウジング内のベイルラッチの自由端の近傍にカム部材が形成されている。ベイルラッチが開位置に移動する際に、ベイルラッチは移動途中でカム部材と係合し、それにより、ベイルラッチの自由端がアダプタモジュール内に引込まれる。
【０００９】
本発明の更に他の目的は、アダプタフレームに容易に差込むことができるアダプタモジュールを提供することであり、該アダプタモジュールは、長手方向に延在する一対のスロットが形成されたキャストハウジングを有し、前記スロットは、収容フレームの対応する両側のガイドレールを収容し、アダプタモジュールのスロットは、ガイドレールのための導入部を提供する末広がり端を後部に有し、この末広がり端は、モジュールを抜差しの際に傾けることができるように、スロットの幅から更に広い幅に末広がりの角度で広がっている。
【００１０】
本発明は、以上その他の目的をその構造によって達成する。本発明の一つの主な形態においては、アダプタモジュールは、回路基板に取付けられたアダプタフレーム内の適所にアダプタモジュールを固定する手段を備える。モジュールは、コネクタ、トランシーバ、光−電気コネクタ等の電子装置を収容するようにサイズが決められた中空本体を有し、電子装置は、回路基板に取付けられた相手側コネクタと嵌（かん）合するために外方に延在する回路基板を有することができる。モジュール本体は、その周囲に延在する外側フランジを更に有することができ、このフランジは、回路基板に取付けられたアダプタフレームの面板又は前縁とぴったりと係合する。
【００１１】
固定手段は、二つの自由端を有する概略Ｕ字形を有するベイルラッチの形をとることが好ましい。自由端は、モジュール側壁に形成された開口に収容され、自由端は、モジュールの前面を横切って延在する水平棒によって相互接続される。
【００１２】
ベイルラッチは、二つの動作位置の間で移動可能である。第１の動作位置で、ベイルラッチバーはモジュールの前を横切っており、ケーブル組立体とモジュールの接続を防ぐ。第２の動作位置で、ベイルラッチは持上がり、ケーブル組立体をモジュールに差込むのを可能にする。該モジュールは、ベイルラッチが移動中に乗上げるカム面を有する一対のカム部材を含む。これらのカム部材は、ベイルラッチの自由端を内側に引張る働きをし、それにより、モジュールをアダプタフレームに差込むか又はそこから引抜くことができる。ベイルラッチの自由端が内側に排動されないとき、それらの自由端は、モジュール側壁を貫通してアダプタフレームと干渉係合し、モジュールがアダプタフレームから引抜かれるのを防ぐ。
【００１３】
本発明のもう一つの主な形態においては、アダプタフレームは、内側に延在する一対のガイドレールを有し、モジュールは、外側に形成されモジュールの長さ方向に延在する一対のスロットを有する。これらのモジュールのスロットは、アダプタフレームのガイドレールを収容する。これらのスロットは、モジュールの後方に開いており、アダプタをアダプタフレーム内の所定の位置に斜めに入れることを可能にするか、傾斜した前記アダプタフレームにモジュールを使用することを可能にする末広がりの導入開口を備える。
【００１４】
電磁ガスケットを、アダプタフレームの相手側電磁ガスケットと係合し結合する向きでモジュールフランジに付けてもよい。また、ベイルラッチは、ケーブル組立体を収容するように構成されてもよい。
【００１５】
本発明の他の目的、特徴及び利点は、添付図面と関連して行われる以下の詳細な説明から明らかになるであろう。
【００１６】
本発明は、その目的及び利点とともに、添付図面と関連して行われる以下の詳細な説明を参照することによって最もよく理解することができ、図面において同じ参照番号は同じ要素を示す。
【発明を実施するための最良の形態】
【００１７】
図１は、ケーブル組立体２１が繋（つな）がっている一つの装置（図示せず）と別の電子装置（同様に図示せず）との間のインターフェイスを提供するために使用される電気組立体２０を示す。前記電子装置は、これと関連する回路基板２２を有しており、ハウジング２３によって取囲まれている。このような組立体は、電気通信産業で広く使用されており、一以上のトランスミッタ２６に終端された光ファイバケーブル２５を介して信号を送るファイバ又は他のタイプの光学装置を含み、トランスミッタ２６は、図面にプラグコネクタとして示されたコネクタハウジング２７に収容されている。
【００１８】
このケーブル組立体２１は、当技術分野において、アダプタモジュール３０として知られているものに差込まれる。このアダプタモジュール３０はアダプタフレーム５０に収容されており、このアダプタフレーム５０は回路基板２２に取付けられるとともに、該回路基板２２上の回路に終端された複数の導電端子６２を備えた、前記回路基板２２に取付けられコネクタ６０を部分的に取囲むか又は包囲している。
【００１９】
モジュール３０は、高速信号を銅ケーブル又は光ファイバケーブルから、コネクタ端子６２を介して回路基板２２上の特定の回路に送ることができる電気信号に変換する一以上の電子装置、典型的にはコンバータを収容している。この電子装置は、典型的には、モジュール３０の穴（nest）又は開口３１に収容される一対の光用変換ヘッド３７を含み、この変換ヘッドは、モジュール３０の後面３２から延出する回路基板３８（図４）で終端する追加の電子回路構造を含む。一つのタイプのモジュールとその内部構成要素は、２０００年５月１６日に発行された米国特許第６，０６２，８９３号に示され説明されている。
【００２０】
モジュール３０は、回路基板２２に取付けられたアダプタフレーム５０に収容される。アダプタフレームは、図３に最もよく示されているように、一対の側壁５２が対向する前面５３と後面５４によって相互接続された長方形の形状を有する。アダプタフレーム５０の後面５４は、フレーム５０を後部から閉じる後壁５５を含み、更に、アダプタフレーム５０内に画定された空胴２９内に垂下がるように形成されたばねアーム５７を備えた横断後方部材５６を含む。これらのばねアーム５７は、モジュール３０を有効に接地するために、モジュール３０に形成された後縁３９（図１）と係合する。回路基板２２上の接地回路へのこの接地は、主に一連の係合ピン５８によって行われ、該係合ピン５８は、アダプタフレーム５０の一部分として形成されることが好ましく、また回路基板２２に形成されためっき穴又はビア２８（図２）に収容される。
【００２１】
図３と図３Ａとに戻り、モジュール３０は、導電材料からダイカストで製造されることが好ましく、コンバータを収容する中空の内部キャビティ（図示せず）を有する一以上の部品から構成することができ、その内のコネクタヘッド３７と後方回路基板３８だけが示されている。
【００２２】
モジュール３０の前面は、特定の変換ヘッド３７とそれぞれ連通する一対の開口３１を有する。これらの開口３１は、ケーブル組立体プラグコネクタのコネクタハウジング２７を収容する。モジュール３０をアダプタフレーム５０内に保持するために、保持手段４０が、移動可能（又は回転可能）なベイルラッチ４１の形で設けられている。図８に示したように、ベイルラッチ４１は、二つの脚部４３と直交する方向に延在するベース部４２を有する概略Ｕ字形を有する。脚部４３は、自由端４４で終端し、それらの自由端４４は、それらと直交する方向にも延在し、側壁３４内に形成された一対の開口３３（図３及び４）に収容される。自由端４４は、ベイルラッチ４１が第１の動作位置と第２の動作位置との間で移動することができる（好ましくは回転される）ように開口３３内で動くことができる。図３に示した第１の動作位置において、ベイルラッチ４１は、移動可能な開口３１の前に水平方向に延在しており、そのベース部４２は、ケーブルコネクタのハウジング２７が差込まれるのを妨げるように、モジュール開口３１の前を横切って延在している。この同じ位置で、自由端４４は、モジュール側壁３４の内側に引込まれ、図８に点線で示した位置になり、自由端４４は、図３に示したように、引込まれてモジュール側壁３４から突出しない。
【００２３】
図３Ａに示したような第２の動作位置において、ベイルラッチ４１は、モジュール３０の正面の開口３７の上側に持上げられる。この位置は、図８及び９に概略的に示されており、ケーブル組立体と干渉しない。また、ベイルラッチの上下の動きに合せてベイルラッチの自由アーム４４を内側と外側に動かすために、アダプタモジュール３０は、好ましくはモジュール３０と一体的に形成された一対のカム部材７０を有する。図５に示したように、これらのカム部材７０は、スロット７２の内側基材７１に沿って配置されている。カム部材７０は、横断方向「Ｔ」（図３Ａ）及び長手方向「Ｌ」の両方の半径方向に丸くなった湾曲面を有する立体バンプであることが好ましく、その結果、ベイルラッチの脚部４３は、モジュール側壁３４からアダプタフレームの開口５９内に突出しないようにベイルラッチの自由端４４を内側に引張るようにカム移動する。
【００２４】
本発明のもう一つの態様において、モジュール３０は、モジュール３０の長さ方向に延在する一対のスロット８０を備えている。これらのスロット８０は、アダプタフレーム５０の一部として形成され、フレーム５０の内部空胴２９内に曲げられた対応するガイドレール８２を収容して係合する。図７及び７Ａに最もよく示されているように、更に、スロット８０は、モジュール側壁３４内の、モジュール３０の一部として形成されることが好ましい放熱フィン８３のすぐ下側に配置される。前記モジュール３０の後面３２において、スロット８０は、傾斜した壁８４によって末広がりに開いており、傾斜した導入面８４を備えた大きな開口８５を作成し、この導入面８４は、アダプタフレームのガイドレール８２と係合するか、あるいは、装置の前板すなわちベゼル９１の開口９０に対してわずかに傾いたアダプタフレーム５０と係合するように、アダプタモジュール３０を傾けることを可能にする。
【００２５】
次に、図１２Ａ及び１２Ｂに移ると、これらの図は、カム部材７０とベイルラッチ４１の関係を詳細に示している。図１２Ａにおいて、前記ベイルラッチ７１は、図３Ａのように斜め上に延在しており、ラッチ脚部４３は、前記カム部材７０より上側に位置決めされている。図１２Ｂでは、ベイルラッチ４１は、図３のように水平位置まで下げられており、前記ラッチ脚部４３は、カム部材７０に乗上げており、したがって、内側に撓（たわ）んでいることが分かる。この撓みは、ラッチ脚部４３に沿って生じ（図８にＤ１として示す）、また、ラッチ自由端４４に沿って生じる（図８にＤ２として示す）。この撓みにより、前記自由端４４は、フレーム開口５９との係合から外され、好ましくはモジュール側壁３４内に一部分が引抜かれ、それにより、モジュール３０をフレーム５０に自由かつ容易に抜差しすることができる。
【００２６】
モジュールフランジ１２０は、後面５０に貼（はり）付けられた電磁ガスケット１００を有することができ、この電磁ガスケット１００は、アダプタフレームの前面に支持された類似の電磁ガスケット１０１と結合する。
【００２７】
図１０及び１１に、もう一つの実施形態２００を示し、この図において、モジュール３０は、ケーブル又はパッチコードを収容するように形成された凹部又はスロット１４６を備えたベイルラッチ１４１を有する。
【００２８】
図１３〜１９は、ベイルラッチの自由端とモジュールアダプタフレームの連係をより明確に示す。図１３において、組立体２００は、後部材と前部材によって相互接続された一対の側壁を有するアダプタフレーム２０２として示されている。該アダプタフレーム２０２は、回路基板２３６に取付けられて示されており、フレームは、電子モジュール２０４を保持する。図示のモジュールは、光トランシーバであるが、モジュールとして他の適切なタイプの構成要素も使用することができることを理解されたい。
【００２９】
モジュール２０４は、前面と連通してケーブル等の結合を可能にする一対の開口２０６を有する。前記モジュール２０４は、前に説明したタイプの移動可能なベイルラッチ２０８を有する。該ベイルラッチ２０８は、上下に動かされてモジュール開口２０６と干渉する状態と干渉しない状態にされるベース部２１４と、自由端２１８で終端する一対の脚部２１６とを備えたＵ字型を有する。これらの脚部２１６は、モジュール２０４に配置されたスロット２１２内で移動可能又は旋回可能であり、関連付けられた自由端２１８のまわりに移動又は旋回する。カム部材２１０は、スロット２１２内の、ベイルラッチ２０８の動き、特に、その脚部２１６の動きと干渉する位置に配置された状態で示されている。
【００３０】
この説明で前に考察したように、カム部材２１０は、モジュール２０４内、好ましくはスロット２１２内に配置される。前記カム部材２１０は、ベイルラッチ２０８の動きによって脚部２１６がカム部材２１０と接触するように配置される。これらの脚部２１６は、カム部材２１０とその外面の上に乗る。この動きによって、前述のように、ベイルラッチの自由端２１８が、自由端の仮想中心線に沿って内側と外側に引張られる。図１８は、差込／取出位置にあるベイルラッチ２０８を示し、該ベイルラッチ２０８は、前面に延在しており、ユーザがケーブルをモジュール開口２０６に差込むのを防ぐ。この位置で、ベイルラッチ脚部２１６は、図１５に最も良く示したように、内側にカム移動され、好ましくは、図示したように、カム部材２１０に当接した状態となる。このカム部材２１０は、図１３に示したようにモジュールスロット２０６の下面から上方に延在する形状を有し、前の図面に示した四分球（quarter-spherical ）形状を有する必要はない。更に、ベイルラッチの回転においてカム作用が起きる位置を正確に特定するために、ポスト部分２３４の上部に四分球形状を配置してもよい。前記ベイルラッチ２０８の自由端２１８は、外部アダプタフレーム２０２の係合を解除するのに十分な長さを有し、それにより、モジュールを問題なく抜差しすることができる。
【００３１】
また、図１８及び１９に示したように、取付開口２３０は、具体的には、ベイルラッチが係合位置にあるときに前記ベイルラッチの自由端２１８を受け入れる円弧状のくぼみ２３２を含むように構成されてもよい。開口２３０は、自由端２１８があるベイルラッチに形成された対応する開口と位置合せされる。図１８では、前記ベイルラッチの自由端２１８は後退位置で示されている。
【００３２】
本発明は、その精神から逸脱することなく他の特定の形態で実施することができることを理解されよう。例えば、カムは、部分的に球形（四分球）の係合面を有するものとして説明したが、カム動作が実現されれば他の面を利用することもできる。したがって、上記の実施例及び実施形態は、すべての点において例示的であり限定的なものでないと考えなければならず、本発明は、本明細書に示した詳細に限定されない。
【図面の簡単な説明】
【００３３】
【図１】本発明の原理によって構成されたアダプタモジュールを、ケーブル組立体を有する動作環境で利用するアダプタフレーム／モジュール組立体の分解斜視図である。
【図２】図１と同じ図であるが、部分的に切除されており、アダプタモジュールがアダプタフレーム内の適所に置かれ、ケーブル組立体を収容する用意ができている状態を示す図である。
【図３】フレーム／モジュールをフレームに差込む前に互いに位置合せされ、モジュールをフレームから抜差しするための準備位置にある、図１のアダプタモジュールとアダプタフレームの斜視図である。
【図３Ａ】ベイルラッチが保持位置又は係合位置に移動された状態の図３のアダプタモジュールの斜視図である。
【図４】分かりやすくするためにベイルラッチを除去した図３のアダプタモジュールの側面図である。
【図５】図４のアダプタモジュールの正面図である。
【図６】図４のアダプタモジュールの長手方向断面図である。
【図７】下側から見た図４のアダプタモジュールの斜視図である。
【図７Ａ】図７の「Ａ」で示した部分の拡大詳細図である。
【図８】二つの動作位置の間で移動する際に起こる変位を示す、本発明のアダプタモジュールのベイルラッチの図である。
【図９】ベイルラッチが二つの位置の間で移動する範囲を示す、本発明のアダプタモジュールの部分側面図である。
【図１０】代替のベイルラッチを有するアダプタフレーム／モジュールの正面図である。
【図１１】図１０のアダプタフレーム／モジュールの部分側面図である。
【図１２Ａ】ベイルラッチがカム部材の上に位置決めされた状態の、図３Ａに示したような持上がった位置にあるベイルラッチの拡大詳細図である。
【図１２Ｂ】図１２Ａと同じ図であるが、ベイルラッチが図３に示したような低い位置にあり、ベイルラッチ脚部と自由端が内側に撓んでいる。
【図１３】アダプタフレーム内の適所にあるモジュールの斜視図であり、上昇位置にあるベイルラッチを示し、モジュールがアダプタフレームと係合されており、モジュールの下面から隆起したカム部材を利用する。
【図１４】異なる角度から見た図１３と類似した図であるが、ベイルラッチが下降位置に位置する状態を示し、モジュールはアダプタフレームと切り離されており、ベイルラッチの自由端が、アダプタフレームとの係合が外れるようにカム移動されている。
【図１５】モジュールが図１４に示したような位置にあるときのカム部材とベイルラッチの拡大した部分平面詳細図である。
【図１６】ベイルラッチが図１４に示したような下降位置にあるときのベイルラッチとカム部材の係合を示す斜めから見た拡大詳細図である。
【図１７】図１６と類似の図であるが、モジュールが図１３に示したような位置にあるときのベイルラッチとカム部材の図である。
【図１８】図１４に示したようなモジュールの前側の拡大詳細図であり、アダプタフレームから切り離されたベイルラッチの一つの自由端と、ケーブルや他の装置の差込みを防ぐためにモジュールの開口の前に位置するベイルラッチを示す図である。
【図１９】図１３に示したようなモジュールの前側の拡大詳細図であり、アダプタフレームと係合されたベイルラッチの一つの自由端と、ケーブルや他の装置の差込みを可能にするためにモジュールの開口の上側に持上げられたベイルラッチを示す図である。
【図１】
2005522853.tif 000003
【図２】
2005522853.tif 000004
【図３】
2005522853.tif 000005
【図３Ａ】
2005522853.tif 000006
【図４】
2005522853.tif 000007
【図５】
2005522853.tif 000008
【図６】
2005522853.tif 000009
【図７】
2005522853.tif 000010
【図７Ａ】
2005522853.tif 000011
【図８】
2005522853.tif 000012
【図９】
2005522853.tif 000013
【図１０】
2005522853.tif 000014
【図１１】
2005522853.tif 000015
【図１２Ａ】
2005522853.tif 000016
【図１２Ｂ】
2005522853.tif 000017
【図１３】
2005522853.tif 000018
【図１４】
2005522853.tif 000019
【図１５】
2005522853.tif 000020
【図１６】
2005522853.tif 000021
【図１７】
2005522853.tif 000022
【図１８】
2005522853.tif 000023
【図１９】
2005522853.tif 000024
【手続補正書】
【提出日】平成15年9月2日(2003.9.2)
【手続補正１】
【補正対象書類名】特許請求の範囲
【補正対象項目名】全文
【補正方法】変更
【補正の内容】
【特許請求の範囲】
【請求項１】
プリント回路基板（２２）上に取付けられたアダプタフレーム（５０）に抜差しするアダプタモジュール（３０）であって、
電子コンバータ（３７、３８）を収容する内部スペース（３１）を備え、一対の側壁（３４）及び該側壁の少なくとも一方を貫通する開口（３３）を備える導電性モジュール本体と、
該導電性モジュール本体に揺動可能に取付けられた保持部材（４０）とを有し、該保持部材（４０）が、離間した側部（４３）及び該離間した側部（４３）を接続する長い横断部材（４２）を備えるＵ字形の保持部材（４１）であり、該保持部材（４０）が前記離間した側部（４３）のそれぞれの自由端（４４）を備え、該自由端（４４）の各々が前記導電性モジュール本体の対応する前記側壁（３４）に収容され、前記自由端（４４）が前記開口（３３）に収容され、
前記保持部材（４０）が、前記自由端（４４）が電子部品用アダプタフレーム（５０）との固定係合から外れる第１の位置と、前記自由端（４４）の少なくとも一つが前記開口（３３）から突出してアダプタフレーム（５０）と固定係合する第２の位置との間で移動可能なことを特徴とするアダプタモジュール（３０）。
【請求項２】
前記保持部材（４０）と干渉係合するように位置決めされて、前記保持部材（４０）が前記第１の位置と前記第２の位置との間で動く際に、前記少なくとも一つの自由端（４４）が、アダプタフレーム（５０）との固定係合から外れる動きと固定係合する動きとを達成するカム部材（７０、２１０）を更に含む、請求項１に記載のアダプタモジュール（３０）。
【請求項３】
前記カム部材（７０、２１０）が、前記導電性モジュール本体の前記側壁の開口（３３）の近くに配置された固定面を含む、請求項２に記載のアダプタモジュール（３０）。
【請求項４】
前記固定面が、導電性モジュール本体の一部として形成された、請求項３に記載のアダプタモジュール（３０）。
【請求項５】
前記固定面が、四分球形状を有する、請求項３又は４に記載のアダプタモジュール（３０）。
【請求項６】
前記導電性モジュール本体が、前記側壁（３４）を貫通する一対の開口（３３）を含み、前記側壁（３４）に隣接した一対の通路（７２）を更に含み、側壁の開口（３３）が導電性モジュール本体の通路と連通しており、前記保持部材の離間した側部（４３）の一部（４３）が、それぞれ通路（７２）内に配置され、更に前記保持部材の自由端（４４）が前記側壁の開口（３３）によってそれぞれ収容されている、請求項１又は２に記載のアダプタモジュール（３０）。
【請求項７】
前記導電性モジュール本体の内部スペースが下面部分を含み、前記固定面が下面部分から上方に突出している、請求項３又は４に記載のアダプタモジュール（３０）。
【請求項８】
前記固定面が前記側壁に沿って延在するポスト（２３４）を含み、該ポスト（２３４）が円弧面で覆われている、請求項３又は４に記載のアダプタモジュール（３０）。
【請求項９】
前記固定面のポスト（２３４）が四分球形面で覆われている、請求項３又は８に記載のアダプタモジュール（３０）。
【請求項１０】
前記開口（３３）と関連付けられた前記自由端（４４）を備える保持部材（４０）の前記側部が、前記カム部材（７０）と摺動式に係合し、前記自由端を、前記保持部材（４０）の揺動に応じて前記第２の位置から前記第１の位置に内側に移動させる、請求項３に記載のアダプタモジュール（３０）。
【請求項１１】
前記保持部材（４０）は前記第１の位置のときに、導電性本体の前記内部スペース（３１）へのアクセスを阻止する、請求項１に記載のアダプタモジュール（３０）。
【請求項１２】
前記導電性本体は、前記側壁（３４）の各々に形成され前記導電性本体の長さ方向に延在する長手方向のスロット（８０）を備え、各スロット（８０）が、前記アダプタモジュール３０への接続の際に電子部品用アダプタフレーム（５０）の相補的部材を収容するように適応されている、請求項１に記載のアダプタモジュール（３０）。
【請求項１３】
前記スロット（８０）の少なくとも一つが、前記アダプタフレーム（５０）の相補的部分が前記スロット（８０）に斜めに入ることを可能にする末広がりの傾斜した導入面を画定する傾斜壁（８４）を備えた後部を有する、請求項１２に記載のアダプタモジュール（３０）。
【請求項１４】
保持部材（４０）の前記長い横断部材（１４１）が、前記アダプタモジュール（３０）の前面から突出する構成要素を収容する凹部（１４６）を含む、請求項１に記載のアダプタモジュール（３０）。
【請求項１５】
支持構造を備えるアダプタモジュール（３０）であって、前記支持構造が、該支持構造内への少なくとも部分的なアクセスを可能にする一以上の通路を備え、前記アダプタモジュール（３０）が、更に、移動可能に取付けられたＵ字形の保持部材（４０）を備え、該保持部材（４０）が、該保持部材（４０）のＵ字形を画定するために、離間した端部（４３）及び離間した端部を接続する横材（４１）を備え、前記保持部材の端部の一部が通路に収容され、前記保持部材の端部が、前記通路から選択的に突出するように位置決めされた二つの自由端（４４）で終端しているアダプタモジュールと、
該アダプタモジュール（３０）を収容するレセプタクル部（２９）を画定するようにサイズと形状が決められた電子部品のアダプタフレーム（５０）とを有し、
前記保持部材（４０）が、該保持部材の自由端（４４）が前記モジュール支持構造から部分的に突出してアダプタフレームレセプタクルと係合し、それにより、前記モジュール支持構造を前記フレームレセプタクル部分内の適所に固定する第１の位置と、前記自由端（４４）が前記モジュール支持構造から突出しておらず、それにより、該モジュール支持構造を前記フレームレセプタクル部分から抜出すことができる第２の位置との間で移動可能なことを特徴とするアダプタモジュール（３０）とアダプタフレーム（５０）の組合せ。
【請求項１６】
前記保持部材（４０）が前記第１の位置と第２の位置との間で動く際に、前記保持部材の自由端（４４）が前記アダプタフレーム（５０）から外れる動きと係合する動きを達成するように、前記保持部材の自由端（４４）と干渉係合するように位置決めされた一対のカム部材（７０、２１０）を更に含み、前記カム部材（７０）が、前記支持構造の通路の近くに配置された前記支持構造の固定された隆起面を含み、前記自由端（４４）が、前記カム部材と摺動的に係合して、前記保持部材（４０）の動きに応じて前記自由端（４４）を前記第２の位置から前記第１の位置に内方に移動させる、請求項１５に記載のアダプタモジュール及びフレーム。
【請求項１７】
前記アダプタフレーム（５０）が、前記アダプタモジュール（３０）を摺動可能に収容する前面開口を備え、保持部材（４０）の前記自由端（４４）が、保持部材（４０）が前記第１の位置にあるときにアダプタモジュール（３０）の前記側壁（３４）内に配置され、保持部材（４０）が前記第２の位置にあるときに前記保持部材（４０）の前記各自由端（４４）が外側に配置されて、アダプタモジュール（３０）の前記側壁（３４）よりも突出し、アダプタフレーム（５０）の各前記開口（５９）と係合する、請求項１５に記載のアダプタモジュール及びフレーム。
【請求項１８】
前記保持部材（４０）が前記第１の位置と前記第２の位置との間で動く際に、前記保持部材（４０）と干渉係合して、それにより、アダプタモジュール（３０）の前記側壁（３４）内にある位置と、アダプタモジュール（３０）の前記側壁（３４）より外側に突出する位置との間での前記各自由端（４４）の動きを達成するように位置決めされた一対のカム部材  （７０）を更に含み、各前記カム部材（７０）が、アダプタモジュール（３０）の各前記側壁（３４）を貫通する各前記開口の近くに設けられた固定した隆起面である、請求項１５に記載のアダプタモジュール及びフレーム。
【請求項１９】
保持部材（４０）の前記各側部（４３）が、前記各カム部材（７０）と摺動式に係合し、前記保持部材（４０）の揺動に応じて前記各自由端（４４）を前記第２の位置から前記第１の位置に内側に移動させる、請求項１６又は１８に記載のアダプタモジュール及びフレーム。
【請求項２０】
保持部材（４０）は前記第１の位置のときに、導電性本体の前記内部スペースへのアクセスを阻止する、請求項１５に記載のアダプタモジュール及びフレーム。
【請求項２１】
前記導電性本体が、前記側壁のそれぞれに長手方向のスロット（８０）を備え、該スロット（８０）の各々が、前記アダプタモジュール（３０）に接続する際に、前記電子部品用アダプタフレーム（５０）の相補的部材を収容する、請求項１５に記載のアダプタモジュール及びフレーム。
【国際調査報告】
2005522853.tif 000025
2005522853.tif 000026